(57)【要約】【課題】伝送路中で生じるＡＳＥ量が不明でも、最適な増幅率を設定できること。【解決手段】受信装置１３０は、伝送路１４０を介して送信装置１１０から波長多重された光信号を受信する。受信装置１３０は、光信号を受信し、光信号を所定の増幅率で増幅する受信アンプモジュール部１３１ｃと、光信号のパワーを測定するアンプモジュール監視制御部１３１ｄと、光信号を波長ごとに分波する波長選択モジュール監視制御部１３２ｂと、アンプモジュール監視制御部１３１ｄから出力された光を波長毎に分波する受信波長選択部１３２と、受信波長選択部１３２の分波でＡＳＥ成分をカットした各波長のパワーの総計と、所定の増幅率と、受信した光信号のパワーと、に基づいて受信アンプモジュール部１３１ｃの増幅率を設定する装置監視制御部１３５と、を備える。【選択図】図３
2018014631.tif 000002
【特許請求の範囲】
【請求項１】
伝送路を介して送信装置から波長多重された光信号を受信する受信装置において、
前記光信号を所定の増幅率で増幅する増幅部と、
前記増幅部に入力させる前の前記光信号のパワーを測定する測定部と、
前記増幅部から出力された光を波長毎に分波する分波部と、
前記分波部で分波した波長のパワーの総計と、前記所定の増幅率と、前記測定部で測定した前記光信号のパワーと、に基づいて前記増幅部の増幅率を設定する制御部と、
を備えたことを特徴とする受信装置。
【請求項２】
前記制御部は、
前記分波部で分波した各波長のパワーの総計から、前記所定の増幅率と受信した前記光信号のパワーを差し引いた値に基づいて、前記増幅部の増幅率を設定することを特徴とする請求項１に記載の受信装置。
【請求項３】
前記制御部は、
前記送信装置から少なくとも一波長の前記光信号を受信し、前記分波部で分波した前記波長数分のパワーの総計から、前記増幅率と受信した前記光信号のパワーを差し引いた値に基づいて、前記増幅部の増幅率を設定することを特徴とする請求項２に記載の受信装置。
【請求項４】
前記制御部は、
前記分波部で分波した前記波長数分のパワーの総計から、前記増幅率と受信した前記光信号のパワーを差し引いた値を補正値に変換し、当該補正値に基づき前記増幅部の増幅率を設定することを特徴とする請求項３に記載の受信装置。
【請求項５】
前記制御部は、
あらかじめ前記送信装置から送信される自然放出光の補正値に基づき、前記増幅部の増幅率を設定した後に、
前記送信装置から少なくとも一波長の前記光信号を受信し、前記波長選択部で分岐した前記波長数分のパワーの総計から、前記設定済みの増幅率と受信した前記光信号のパワーを差し引いた値に基づいて前記増幅部の増幅率を再設定することを特徴とする請求項１に記載の受信装置。
【請求項６】
伝送路を介して送信装置から波長多重された光信号を受信し、所定の増幅率で増幅する増幅部を有する受信装置の増幅率設定方法において、
前記増幅部で増幅した前記光信号を分波した波長のパワーの総計と、前記増幅部に設定された増幅率と、受信した前記光信号のパワーと、に基づいて前記増幅部の増幅率を設定する、
工程を含むことを特徴とする増幅率設定方法。
【請求項７】
あらかじめ前記送信装置から送信される自然放出光の補正値に基づき、前記増幅部の増幅率を設定する第１の工程と、
前記送信装置から少なくとも一波長の前記光信号を受信し、前記増幅部から出力された光を分波した前記波長数分のパワーの総計から、前記設定済みの増幅率と受信した前記光信号のパワーを差し引いた値に基づいて、前記増幅部の増幅率を再設定する第２の工程と、
を含むことを特徴とする請求項６に記載の増幅率設定方法。
【請求項８】
前記第１の工程による前記増幅部の増幅率の設定完了を前記送信装置にＯＳＣで通知した後、
前記送信装置から前記光信号の受信に基づき、前記第２の工程を実行すること、
を特徴とする請求項７に記載の増幅率設定方法。
【請求項９】
前記伝送路に、自然放出光のパワーが不明なアンプが設けられた場合においても、前記制御部は、前記アンプの自然放出光の成分を含めて前記増幅部の増幅率を設定することを特徴とする請求項６〜８のいずれか一つに記載の増幅率設定方法。
【発明の詳細な説明】
【技術分野】
【０００１】
本発明は、光信号を受信する受信装置および増幅率設定方法に関する。
【背景技術】
【０００２】
光信号を波長多重して伝送する光波長多重（ＷＤＭ：Ｗａｖｅｌｅｎｇｔｈ  Ｄｉｖｉｓｉｏｎ  Ｍｕｌｔｉｐｌｅｘｉｎｇ）システムでは、近年、陸上システム用のＷＤＭ装置を海底ケーブルルートにも用いる要望が増えてきている。例えば、ＷＤＭのネットワークの中に陸上ルートと海底ルートが混在する場合がある。
【０００３】
ＷＤＭシステムの受信装置は、立上げ時等の受信アンプの調整時に送信アンプから送信される１ｃｈ分のパワーと、自然放出光（ＡＳＥ：Ａｍｐｌｉｆｉｅｄ  Ｓｐｏｎｔａｎｅｏｕｓ  Ｅｍｉｓｓｉｏｎ）補正量（固定値）を元に受信アンプのゲイン（ＧＡＩＮ）調整を行っている（例えば、下記特許文献１，２参照。）。
【先行技術文献】
【特許文献】
【０００４】
【特許文献１】特開２００９−１２４６５５号公報
【特許文献２】特開２００４−０２３４３７号公報
【発明の概要】
【発明が解決しようとする課題】
【０００５】
しかし、従来の技術では、陸上での運用を前提とし、また、送信アンプと受信アンプ間が光ファイバのみで接続されることを前提としている。例えば、伝送路が海底区間を通る場合、海底区間にＲＯＰＡ（Ｒｅｍｏｔｅ  Ｏｐｔｉｃａｌｌｙ  Ｐｕｍｐｅｄ  Ａｍｐｌｉｆｉｅｒ）が設置されることがある。ＲＯＰＡは、例えば、受信端に設置したＲＯＰＡポンプ光により光信号を増幅させる方式である。また、伝送路の途中にサードパーティ製の特性が不明なアンプシステムが使用されることがある。
【０００６】
このため、受信アンプのゲイン調整時に、伝送路の途中にＲＯＰＡやサードパーティ製アンプが設けられていると、そのアンプ部分でのＡＳＥが付加されることとなり、受信アンプでのゲイン調整が正しく行えず、立上げが行えない場合が生じる。
【０００７】
例えば、海底区間の伝送路途中にサードベンダー製のアンプが設けられた場合であっても、受信アンプ側では、アンプの挿入が分からないため、通常（陸上区間）での光ファイバ接続時と同様に立上げ処理を実施して受信レベルを調整してしまう。
【０００８】
この際、受信アンプが受信するＡＳＥ補正値は、送信アンプのみで発生するＡＳＥであるため、海底区間のＲＯＰＡやサードパーティ製アンプのＡＳＥが含まれていない。これらＲＯＰＡやサードパーティ製アンプは、海底区間に設けられているため、ＡＳＥ等の特性を容易に取得することができない。そして、受信アンプでのゲイン調整が誤って行われると、受信アンプ立上げ後の信号エラーや信号不通が生じることがある。
【０００９】
一つの側面では、本発明は、伝送路中で生じるＡＳＥ量が不明でも、最適な増幅率を設定できることを目的とする。
【課題を解決するための手段】
【００１０】
一つの案では、伝送路を介して送信装置から波長多重された光信号を受信する受信装置において、前記光信号を所定の増幅率で増幅する増幅部と、前記増幅部に入力させる前の前記光信号のパワーを測定する測定部と、前記増幅部から出力された光を波長毎に分波する分波部と、前記分波部で分波した波長のパワーの総計と、前記所定の増幅率と、前記測定部で測定した前記光信号のパワーと、に基づいて前記増幅部の増幅率を設定する制御部と、を備えたことを要件とする。
【発明の効果】
【００１１】
一つの実施形態によれば、伝送路中で生じるＡＳＥ量が不明でも、最適な増幅率を設定できるという効果を奏する。
【図面の簡単な説明】
【００１２】
【図１】図１は、実施の形態にかかる受信装置を含むＷＤＭシステムを示す図である。
【図２】図２は、実施の形態にかかる受信装置の増幅率設定の設定手順１を説明する図である。
【図３】図３は、実施の形態にかかる受信装置の増幅率設定の設定手順２を説明する図である。
【図４】図４は、実施の形態にかかる受信装置の増幅率設定の設定手順の例を示すフローチャートである。
【発明を実施するための形態】
【００１３】
（実施の形態）
以下、本発明の実施の形態について説明する。図１は、実施の形態にかかる受信装置を含むＷＤＭシステムを示す図である。ＷＤＭシステム１００は、送信装置（送信ＯＡＤＭノード）１１０と、受信装置（受信ＯＡＤＭノード）１３０と、伝送路１４０と、を含む。ＯＡＤＭは、Ｏｐｔｉｃａｌ  Ａｄｄ−Ｄｒｏｐ  Ｍｕｌｔｉｐｌｅｘｅｒ（光分岐挿入装置の略であり、伝送路に対する光信号の挿入および分岐を行う。
【００１４】
図１に記載の例では、送信装置１１０が光信号を送信（挿入）し、受信装置１３０が光信号を分岐（出力）する構成例を記載してあるが、送信装置１１０および受信装置１３０のいずれも光信号を挿入および分岐することができる。
【００１５】
送信装置１１０は、送信トランスポンダ１１１と、波長多重部１１２と、送信波長選択部１１３と、送信部１１４と、装置監視制御部１１５と、を含む。
【００１６】
送信トランスポンダ１１１は、電気信号を光信号に変換し、図１のように、送信トランスポンダ１１１は、複数の信号に対応して複数（ｃｈ）設けられる。波長多重部１１２は、複数の送信トランスポンダ１１１から出力される複数の光信号を波長多重する。
【００１７】
送信波長選択部１１３は、波長選択モジュール部（例えば、ＷＳＳ：Ｗａｖｅｌｅｎｇｔｈ  Ｓｅｌｅｃｔｉｖｅ  Ｓｗｉｔｃｈ）１１３ａと、波長選択モジュール監視制御部１１３ｂと、を含む。
【００１８】
波長選択モジュール監視制御部１１３ｂは、波長選択モジュール部１１３ａに対し、入力される波長多重された光信号を送信する波長（光波長）を割り当てる。波長選択モジュール部（例えば、ＷＳＳ：Ｗａｖｅｌｅｎｇｔｈ  Ｓｅｌｅｃｔｉｖｅ  Ｓｗｉｔｃｈ）１１３ａは、各波長毎に光信号のゲインを調整するゲイン調整部を含む。  
【００１９】
送信部１１４は、光スイッチ１１４ａと、送信アンプモジュール部１１４ｂと、アンプモジュール監視制御部１１４ｃと、送信ＯＳＣ１１４ｄと、光カプラ１１４ｅと、を含む。
【００２０】
光スイッチ１１４ａは、送信波長選択部１１３の出力に対する通過あるいは切断（ドロップ）を選択的に切り替える。送信アンプモジュール部１１４ｂは、光スイッチ１１４ａを通過した光信号に対する光増幅を行う。
【００２１】
アンプモジュール監視制御部１１４ｃは、送信アンプモジュール部（ＰｏｓｔＡＭＰ）１１４ｂによる光増幅を監視する。また、アンプモジュール監視制御部１１４ｃは、送信アンプモジュール部１１４ｂで発生するＡＳＥ雑音光（信号光とＡＳＥ雑音光）の比率をＡＳＥ補正値として求める。
【００２２】
送信ＯＳＣ１１４ｄは、伝送路１４０のＯＳＣ（ＯＳＣ回線）を用いて、ＡＳＥ補正値を受信装置１３０側に送信する。光カプラ１１４ｅは、ＡＳＥ補正値を伝送路１４０のＯＳＣに送出する。ＯＳＣは、Ｏｐｔｉｃａｌ  Ｓｕｐｅｒｖｉｓｏｒｙ  Ｃｈａｎｎｅｌ（光監視チャネル）を示す。
【００２３】
装置監視制御部１１５は、送信装置１１０全体の制御を司り、送信波長選択部１１３による送信波長選択、送信部１１４による光信号の増幅およびＡＳＥ補正値の送信等の制御を行う。
【００２４】
図１に示す伝送路１４０は、海底区間を含むものとして記載してある。そして、伝送路１４０上には、送信ブースター１４１と、海底伝送路１４２と、ＲＯＰＡ１４２ａと、ＲＯＰＡポンプ１４３とを含む。
【００２５】
海底伝送路１４２に設けられるＲＯＰＡ１４２ａは、受信端（受信装置１３０）に設置したＲＯＰＡポンプ１４３のポンプ光により光信号を増幅させる。ＲＯＰＡ１４２ａは、サードパーティ製の特性が不明なアンプシステムであり、容易に特性を知ることができない海底区間に設置されている。
【００２６】
次に、受信装置１３０は、受信部１３１と、受信波長選択部１３２と、波長多重部１３３と、受信トランスポンダ１３４と、装置監視制御部１３５と、を含む。
【００２７】
受信部１３１は、光カプラ１３１ａと、受信ＯＳＣ１３１ｂと、受信アンプモジュール部１３１ｃ（ＰｒｅＡＭＰ）と、アンプモジュール監視制御部１３１ｄと、を含む。
【００２８】
光カプラ１３１ａは、送信装置１１０から伝送路１４０を介して送信されるＯＳＣを分岐出力する。受信ＯＳＣ１３１ｂは、伝送路中の光信号の内ＯＳＣ回線を用いて伝送されるＡＳＥ補正値を取り出し、装置監視制御部１３５に出力する。
【００２９】
受信アンプモジュール部１３１ｃは、受信した光信号に対する光増幅を行う。アンプモジュール監視制御部１３１ｄは、測定部として機能し、受信アンプモジュール部１３１ｃに入力させる前の光信号の受信パワーを測定し、この受信パワーと、ＡＳＥ補正値に基づき、受信アンプモジュール部１３１ｃに対するゲイン（増幅率）を求める。そして、求めたゲインを受信アンプモジュール部１３１ｃに設定し、光信号の受信動作を行わせる。
【００３０】
受信波長選択部１３２は、波長選択モジュール部（例えば、ＷＳＳ：Ｗａｖｅｌｅｎｇｔｈ  Ｓｅｌｅｃｔｉｖｅ  Ｓｗｉｔｃｈ）１３２ａと、波長選択モジュール監視制御部１３２ｂと、を含む。
【００３１】
波長選択モジュール監視制御部１３２ｂは、受信アンプモジュール部１３１ｃから出力された光信号を波長ごとに分波する分波部として機能する。この波長選択モジュール監視制御部１３２ｂは、波長選択モジュール部１３２ａに対し、受信した光信号を各波長（光波長）別に分波する。波長選択モジュール部１３２ａは、各波長毎に光信号のゲインを調整するゲイン調整部を含む。
【００３２】
波長多重部１３３は、受信波長選択部１３２が出力する複数の波長の光信号を波長別のチャネルに分岐し、出力する。受信トランスポンダ１３４は、光信号を電気信号に変換し、図１のように、受信トランスポンダ１３４は、複数の波長に対応して複数（ｃｈ）設けられる。
【００３３】
装置監視制御部１３５は、受信装置１３０全体の制御を司り、受信部１３１によるＡＳＥ補正値に基づく受信した光信号の増幅、受信波長選択部１３２による受信波長選択、等の制御を行う。
【００３４】
送信装置１１０の波長選択モジュール監視制御部１１３ｂ，アンプモジュール監視制御部１１４ｃ，装置監視制御部１１５は、ＦＰＧＡやＣＰＵ等のプロセッサを用いて構成できる。同様に、受信装置１３０のアンプモジュール監視制御部１３１ｄ，波長選択モジュール監視制御部１３２ｂ，装置監視制御部１３５は、ＦＰＧＡやＣＰＵ等のプロセッサを用いて構成できる。
【００３５】
ＣＰＵを用いる場合、ＣＰＵが不図示のメモリ、例えば、ＲＯＭに格納されたプログラムを実行し、ＲＡＭを作業領域に用いることで、これら各制御部の制御機能を実現することができる。
【００３６】
（受信装置の増幅率設定について）
実施の形態では、設定手順１（既存技術）と、設定手順２の順で受信装置１３０の受信部１３１（受信アンプモジュール部１３１ｃ）に対するゲイン（増幅率）を設定する。
【００３７】
図２は、実施の形態にかかる受信装置の増幅率設定の設定手順１を説明する図である。図２（ａ）には、図１と同様の構成部を示し同一の符号を付している。図２（ｂ）〜（ｉ）の各図表の横軸は波長、縦軸は光パワーである。
【００３８】
設定手順１では、送信装置１１０と受信装置１３０とがそれぞれ情報をやり取りすることで、受信装置１３０の受信部１３１（受信アンプモジュール部１３１ｃ）に対してゲイン（増幅率）設定を行う。
【００３９】
この設定手順１においては、図２（ｂ）に示すように、送信装置１１０は、送信部１１４においてＡＳＥ雑音光を使って１ｃｈ（一波長）当たりの信号光に相当する疑似的なパワー２０１を送信する。その際、送信アンプモジュール部１１４ｂ自身でもＡＳＥ雑音光が発生するため、トータルパワーの内、ＡＳＥ雑音光が占める比率をＡＳＥ補正値２０２として、ＯＳＣ回線を使って受信装置１３０へ通知する。
【００４０】
なお、設定手順１の期間、アンプモジュール監視制御部１１４ｃは、送信部１１４の光スイッチ１１４ａを切り替え、送信トランスポンダ１１１からの信号（主信号）が送信部１１４に入力されないように光信号をドロップさせる。
【００４１】
トータルパワーは、（信号光＜疑似的に作りだしたＡＳＥ雑音光を使った疑似的なパワー２０１＞＋送信アンプモジュール部１１４ｂ自身で発生するＡＳＥ補正値２０２）となる。例えば、図２（ｂ）に示す送信する光信号のトータルパワー２０１（＋３ｄＢ）、ＡＳＥ補正値２０２（１ｄＢ）は、図２（ｃ）のスペクトル波形でみて一波長の光信号２０１（＋３ｄＢ）と、ＡＳＥ雑音光２０２（１ｄＢ）に相当する。図２の（ｂ）と（ｃ）のトータルパワーは同じである。
【００４２】
送信装置１１０が出力する光信号は、サードベンダー製の送信ブースター１４１でさらに増幅して海底伝送路１４２に送信される。このとき、図２（ｄ）および図２（ｅ）のスペクトル波形に示すように、送信ブースター１４１自身のＡＳＥ雑音光２０３（＋３ｄＢ）が上乗せされる。
【００４３】
次に、光信号は、海底区間内に設けられたＲＯＰＡ１４２ａにより海底伝送路１４２中で減衰したパワーが光増幅される。この際、図２（ｆ）および図２（ｇ）のスペクトル波形に示すように、ＲＯＰＡ１４２ａ部分でのＡＳＥ雑音光２０４（＋２ｄＢ）が上乗せされる。
【００４４】
受信装置１３０では、受信部１３１（受信アンプモジュール部１３１ｃ）で受信した光信号のパワー（トータルパワー２０１）を検出し、さらに受信ＯＳＣ１３１ｂがＯＳＣ回線で送信装置１１０からＡＳＥ補正値２０２を受信する。
【００４５】
受信部１３１（アンプモジュール監視制御部１３１ｄ）は、トータルパワー２０１とＡＳＥ補正値２０２を用い、受信した光レベル（トータルパワー２０１）の内、信号光のみのパワーを計算して受信アンプモジュール部１３１ｃのゲイン量（増幅率）を決定する。
【００４６】
ここで、送信装置１１０から受信したＡＳＥ補正値２０２は、送信アンプモジュール部１１４ｂのみで発生するＡＳＥ雑音光２０２の比率のみであるため、送信ブースター１４１やＲＯＰＡ１４２ａで発生したＡＳＥ雑音光２０３，２０４は考慮されていない状態である。
【００４７】
例えば、受信したトータルパワー２０１と、ＡＳＥ補正値２０２から信号光のみのパワーを計算すると、−２０−１＝−２１ｄＢｍとなる。この場合、受信アンプモジュール部１３１ｃの出力パワーターゲット（目標）ＯＰＴ：＋３ｄＢｍのとき、ゲイン設定は、２１＋３＝２４ｄＢとなり、誤設定となる。
【００４８】
なお、送信ブースター１４１およびＲＯＰＡ１４２ａで発生したＡＳＥ雑音を考慮した場合の本来の信号パワーは、−２０−１−（３＋２）＝−２６ｄＢｍであり、受信アンプモジュール部１３１ｃに対して本来必要な正しいゲインは、２６＋３＝２９ｄＢｍである。
【００４９】
既存の技術では、送信ブースター１４１やＲＯＰＡ１４２ａで発生したＡＳＥ雑音光２０３，２０４は考慮されず、受信アンプモジュール部１３１ｃのゲイン（増幅率）として正しくない設定値（２４ｄＢ）が設定され、正しいゲイン２９ｄＢと異なる。これにより、受信アンプモジュール部１３１ｃは、適切にゲイン調整されず、アンプ立上げ後の光信号のエラーや光信号の不通といった不具合が生じることがある。
【００５０】
これに対応するため、実施の形態では、上記の設定手順１により受信装置１３０の受信部１３１（受信アンプモジュール部１３１ｃ）に対するゲイン（増幅率）設定後に、下記の設定手順２の設定処理を行う。
【００５１】
設定手順１において、受信部１３１（受信アンプモジュール部１３１ｃ）に対するゲイン（増幅率）設定すると、受信装置１３０は、ゲイン設定の終了を送信装置１１０に通知する。この通知は、受信装置１３０の装置監視制御部１３５が受信ＯＳＣ１３１ｂからＯＳＣにより送信装置１１０の送信ＯＳＣ１１４ｄに通知される。
【００５２】
送信装置１１０（アンプモジュール監視制御部１１４ｃ）は、受信装置１３０からゲイン設定の通知を受信すると、送信部１１４によるＡＳＥ雑音光を使った１ｃｈ（一波長）当たりの信号光に相当する疑似的なパワー２０１の送信を停止する。また、送信部１１４の光スイッチ１１４ａを切り替え、送信トランスポンダ１１１からの信号（主信号）を送信部１１４に入力（スルー）させる状態に戻す。以下、設定手順２に移行する。
【００５３】
図３は、実施の形態にかかる受信装置の増幅率設定の設定手順２を説明する図である。図３（ａ）には、図１と同様の構成部を示し同一の符号を付している。図３（ｂ）〜（ｆ）の各図表の横軸は波長、縦軸は光パワーである。
【００５４】
設定手順２は、受信装置１３０が単独で処理を行う。設定手順２では、アンプモジュール監視制御部１３１ｄおよび波長選択モジュール監視制御部１３２ｂの制御を装置監視制御部１３５が統括制御する。
【００５５】
はじめに、アンプモジュール監視制御部１３１ｄにより、受信部１３１（受信アンプモジュール部１３１ｃ）に入力されるＡＳＥを含む主信号の各波長のパワーの総計（トータル入力レベル：ＰｒｅＡＭＰ＿ＯＰＲ）、増幅率（ゲイン：ＰｒｅＡＭＰ＿Ｇａｉｎ）を測定する（図３（ｅ））。
【００５６】
取得したこれらＡＳＥを含む主信号のトータル入力レベル（ＰｒｅＡＭＰ＿ＯＰＲ）と、ゲイン（ＰｒｅＡＭＰ＿Ｇａｉｎ）は、装置監視制御部１３５に出力される。
【００５７】
図３（ｂ）〜（ｄ）は、主信号の一波あたりのスペクトルであり、それぞれ図２（ｃ）〜（ｇ）と同じスペクトルとなる。
【００５８】
次に、受信部１３１の後段に配置されている受信波長選択部１３２の波長選択モジュール監視制御部１３２ｂは、波長選択モジュール部１３２ａが選択する波長毎の入力レベル（ＰｉｎＷＳＳ）を測定する（図３（ｆ））。また、波長選択モジュール監視制御部１３２ｂは、取得したｃｈ毎の入力レベルを合計する。
【００５９】
ここで、図３に示す例では説明を簡易にするため、ｃｈ数を１ｃｈとしている。波長選択モジュール監視制御部１３２ｂは、波長毎の入力レベル（ＰｉｎＷＳＳ）と、ｃｈ毎の入力レベルを装置監視制御部１３５に出力する。
【００６０】
波長選択モジュール部１３２ａは、ＡＳＥ成分をフィルタでカットし、信号光のみのパワー（ＰｉｎＷＳＳ）をモニタできる。
【００６１】
これにより、装置監視制御部１３５は、ＡＳＥが含まれない信号光のみの入力レベルを求めることができるようになる。
【００６２】
次に、装置監視制御部１３５は、上述した設定手順１で既に取得してある「信号光＋ＡＳＥ」レベルから、設定手順２で取得した「信号光のみ」のパワーを差し引く（図３（ｅ）から図３（ｆ）を差し引くことに相当）。
【００６３】
これにより、実際に受信アンプモジュール部（ＰｒｅＡＭＰ）１３１ｃに入力されているＡＳＥパワー（ＰｉｎＡＳＥ）を算出できる。例えば、下記式により算出する。
【００６４】
ＰｉｎＡＳＥ＝ＰｒｅＡＭＰ＿ＯＰＲ−（ＰｉｎＷＳＳ（ｃｈ毎の合計）−ＰｒｅＡＭＰ＿Ｇａｉｎ）
【００６５】
この後、装置監視制御部１３５は、ＰｉｎＡＳＥによりＡＳＥ補正値を求める。そして、装置監視制御部１３５は、求めたＡＳＥ補正値を使い、アンプモジュール監視制御部１３１ｄにより受信アンプモジュール部（ＰｒｅＡＭＰ）１３１ｃに対してゲイン（増幅率）を再設定する。
【００６６】
上記設定手順２によるゲインの再設定を実施することにより、サードベンダー製等のアンプ（１４１，１４２ａ）が伝送路１４０に挿入されている場合でも、受信装置１３０における最適なアンプゲインを設定できるようになる。
【００６７】
設定手順２の数値例を説明すると、受信装置１３０（装置監視制御部１３５）は、主信号の受信時に受信波長選択部１３２で測定される１ｃｈの信号パワーを測定し、例えば−２ｄＢｍであったとする。
【００６８】
この場合、上述した設定手順１でゲインが２４ｄＢに設定した状態であるため、装置監視制御部１３５は、受信レベルの内、信号光のみのレベルは−２ｄＢｍ−２４ｄＢｍ＝−２６ｄＢｍであると判断する。したがって、装置監視制御部１３５は、受信レベル（トータル）−２０ｄＢｍの内、−２６ｄＢｍが信号光レベルであると判断でき、残りのパワーがＡＳＥ雑音光であると判断する。
【００６９】
ＡＳＥ雑音＝トータル受信レベル−信号光レベル＝−２０ｄＢｍ−（−２６ｄＢｍ）
＝１０＾（−２０／１０）−１０＾（−２６／１０）［ｄＢ⇒ｍＷ変換］
＝０．００７４９ｍｗ
＝１０×Ｌｏｇ（０．００７４９／１）［ｍＷ⇒ｄＢ変換］
＝−２１．２６ｄＢｍ
【００７０】
このように、装置監視制御部１３５は、求めたＡＳＥ雑音光のレベルを補正値に置き換えることで、受信アンプモジュール部（ＰｒｅＡＭＰ）１３１ｃに対して適正なゲイン（増幅率）を設定できるようになる。
【００７１】
図４は、実施の形態にかかる受信装置の増幅率設定の設定手順の例を示すフローチャートである。上述した設定手順１，２をまとめて記載してある。この設定手順は、送信装置１１０および受信装置１３０の装置監視制御部１１５，１３５が統括して制御する。
【００７２】
受信装置１３０の受信部１３１（受信アンプモジュール部１３１ｃ）を立上げる際の処理について説明する。ステップＳ４０１〜ステップＳ４０５までの処理が設定処理１に対応し、ステップＳ４０６〜ステップＳ４１０の処理が設定処理２に対応する。
【００７３】
はじめに、設定手順１として、送信装置１１０の送信部１１４（送信アンプモジュール部１１４ｂ、ＰｏｓｔＡＭＰ）が一波相当のＡＳＥを出力する。この設定手順１の期間、送信部１１４の光スイッチ１１４ａを切り替え、送信トランスポンダ１１１からの信号（主信号）が送信部１１４に入力されないように光信号をドロップさせておく。
【００７４】
そして、送信アンプモジュール部１１４ｂで発生するＡＳＥ量を補正値として受信装置１３０（受信部１３１）へ通知する（ステップＳ４０１）。
【００７５】
受信装置１３０では、送信装置１１０から受信した受信レベルと、送信アンプモジュール部１１４ｂ、ＰｏｓｔＡＭＰのＡＳＥ補正値をもとに、受信アンプモジュール部（ＰｒｅＡＭＰ）１３１ｃでのゲイン設定を実施する（ステップＳ４０２）。
【００７６】
この後、受信装置１３０は、受信アンプモジュール部（ＰｒｅＡＭＰ）１３１ｃでのゲイン設定の完了を送信装置１１０に通知する（ステップＳ４０３）。
【００７７】
送信装置１１０では、受信装置１３０からのゲイン設定完了の通知を受信すると、一波相当のＡＳＥ出力を停止させる（ステップＳ４０４）。そして、送信装置１１０は、送信ＡＭＰモジュール部（ＰｏｓｔＡＭＰ）１１４ｂから出力する信号を送信トランスポンダ１１１が出力する主信号に切り替えて出力する（ステップＳ４０５）。この際、光スイッチ１１４をスルー設定に切り替える。以上により設定手順１が終了する。
【００７８】
設定手順１では、送信装置１１０と受信装置１３０との間で情報をやり取りしたが、設定手順１の終了により、送信装置１１０側は設定に関する処理を終了し、以降の設定手順２では、受信装置１３０側のみで設定処理を行う。
【００７９】
設定手順２では、まず、受信装置１３０の波長選択モジュール監視制御部１３２ｂが波長選択モジュール部１３２ａに入力される主信号の入力レベルが適正レベルであるかを確認する（ステップＳ４０６）。
【００８０】
入力レベルが適正であれば（ステップＳ４０６：Ｙｅｓ）、以上の処理を終了する。一方、入力レベルが適正でなければ（ステップＳ４０６：Ｎｏ）、受信アンプモジュール部（ＰｒｅＡＭＰ）１３１ｃでのゲイン設定が誤っている可能性があるため、ステップＳ４０７以下の処理を実施する。
【００８１】
ステップＳ４０７では、受信部１３１のアンプモジュール監視制御部１３１ｄにより、受信アンプモジュール部（ＰｒｅＡＭＰ）１３１ｃに入力されるＡＳＥを含む主信号のトータル入力レベル（ＰｒｅＡＭＰ＿ＯＰＲ）と、ゲイン（ＰｒｅＡＭＰ＿Ｇａｉｎ）を測定する（ステップＳ４０７）。
【００８２】
この後、受信波長選択部１３２の波長選択モジュール監視制御部１３２ｂは、波長選択モジュール部１３２ａが選択する波長毎の入力レベル（ＰｉｎＷＳＳ）を測定する（ステップＳ４０８）。
【００８３】
そして、装置監視制御部１３５は、海底区間で発生するＡＳＥを含めたＡＳＥ量（ＰｉｎＡＳＥ）を計算する（ステップＳ４０９）。具体的には、上述した設定手順１で既に取得してある「信号光＋ＡＳＥ」レベルから、設定手順２で取得した「信号光のみ」のパワーを差し引く計算を行う。例えば、ＰｉｎＡＳＥ＝ＰｒｅＡＭＰ＿ＯＰＲ−（ＰｉｎＷＳＳ（ｃｈ毎の合計）−ＰｒｅＡＭＰ＿Ｇａｉｎ）の計算を実行する。
【００８４】
これにより、実際に受信アンプモジュール部（ＰｒｅＡＭＰ）１３１ｃに入力されているパワーＰｉｎＡＳＥ量が算出される。そして、装置監視制御部１３５は、実際の入力レベルと、算出したＡＳＥ量を元に受信アンプモジュール部（ＰｒｅＡＭＰ）１３１ｃに対しゲインを再設定し（ステップＳ４１０）、以上の処理を終了する。
【００８５】
上記の設定例では、設定手順１にて一波（１ｃｈ）のＡＳＥを用いてＡＳＥ補正値を求め、設定手順２でもこれに対応して一波（１ｃｈ）の入力レベル（ＰｉｎＷＳＳ）を求めることとした。これに限らず、設定手順１，２では、それぞれ複数波（例えば２ｃｈ）のＡＳＥ補正値と複数波（２ｃｈ）の入力レベル（ＰｉｎＷＳＳ）を用い、実際に受信アンプモジュール部（ＰｒｅＡＭＰ）１３１ｃに入力されているパワーＰｉｎＡＳＥ量を算出してもよい。
【００８６】
以上説明した実施の形態によれば、ＷＤＭシステムを陸上での使用用途に限られることなく、ＰｏｓｔＡＭＰとＰｒｅＡＭＰ間にサードベンダーのアンプやＲＯＰＡが挿入され、ＡＳＥ補正量が分からない海底区間等を含むルートに対しても適用できるようになる。また、ＰｒｅＡＭＰのゲイン調整は、上述した設定手順１，２にしたがって容易に自動化でき、設定パラメータをマニュアルで入力する等の方法に比べて、設定時間を大幅に短縮できるようになる。
【００８７】
また、ＡＳＥ測定に、外部測定器（スペクトラムアナライザ等）を使用せず行うことができる。送信装置および受信装置内に設けられている汎用の信号レベル（パワー）のパフォーマンスモニタ機能を使ってＡＳＥ量を簡単に測定できる。
【００８８】
ところで、上記処理では、受信装置１３０（受信部１３１）の立上げ時のゲイン設定を例に説明したが、ゲイン設定のタイミングは、これに限らない。例えば、新たな区間のルート敷設時においても同様に受信装置１３０（受信部１３１）のゲイン設定を行える。さらに、ＷＤＭシステムの運用中におけるサードベンダー製のアンプやＲＯＰＡで発生するＡＳＥ量の経時的な変動（伝送路劣化等）に対応して、ＡＳＥ補正量を逐次モニタし、ＡＳＥ補正を行うことで、受信部のゲインを常時最適に維持できる。
【００８９】
上述した実施の形態に関し、さらに以下の付記を開示する。
【００９０】
（付記１）伝送路を介して送信装置から波長多重された光信号を受信する受信装置において、
前記光信号を所定の増幅率で増幅する増幅部と、
前記増幅部に入力させる前の前記光信号のパワーを測定する測定部と、
前記増幅部から出力された光を波長毎に分波する分波部と、
前記分波部で分波した波長のパワーの総計と、前記所定の増幅率と、前記測定部で測定した前記光信号のパワーと、に基づいて前記増幅部の増幅率を設定する制御部と、
を備えたことを特徴とする受信装置。
【００９１】
（付記２）前記制御部は、
前記分波部で分波した各波長のパワーの総計から、前記所定の増幅率と受信した前記光信号のパワーを差し引いた値に基づいて、前記増幅部の増幅率を設定することを特徴とする付記１に記載の受信装置。
【００９２】
（付記３）前記制御部は、
前記送信装置から少なくとも一波長の前記光信号を受信し、前記分波部で分波した前記波長数分のパワーの総計から、前記増幅率と受信した前記光信号のパワーを差し引いた値に基づいて、前記増幅部の増幅率を設定することを特徴とする付記２に記載の受信装置。
【００９３】
（付記４）前記制御部は、
前記分波部で分波した前記波長数分のパワーの総計から、前記増幅率と受信した前記光信号のパワーを差し引いた値を補正値に変換し、当該補正値に基づき前記増幅部の増幅率を設定することを特徴とする付記３に記載の受信装置。
【００９４】
（付記５）前記制御部は、
あらかじめ前記送信装置から送信される自然放出光の補正値に基づき、前記増幅部の増幅率を設定した後に、
前記送信装置から少なくとも一波長の前記光信号を受信し、前記分波部で分波した前記波長のパワーの総計から、前記設定済みの増幅率と受信した前記光信号のパワーを差し引いた値に基づいて前記増幅部の増幅率を再設定することを特徴とする付記１に記載の受信装置。
【００９５】
（付記６）伝送路を介して送信装置から波長多重された光信号を受信し、所定の増幅率で増幅する増幅部を有する受信装置の増幅率設定方法において、
前記増幅部で増幅した前記光信号を分波した波長のパワーの総計と、前記増幅部に設定された増幅率と、受信した前記光信号のパワーと、に基づいて前記増幅部の増幅率を設定する、
工程を含むことを特徴とする増幅率設定方法。
【００９６】
（付記７）あらかじめ前記送信装置から送信される自然放出光の補正値に基づき、前記増幅部の増幅率を設定する第１の工程と、
前記送信装置から少なくとも一波長の前記光信号を受信し、前記増幅部から出力された光を分波した前記波長数分のパワーの総計から、前記設定済みの増幅率と受信した前記光信号のパワーを差し引いた値に基づいて、前記増幅部の増幅率を再設定する第２の工程と、
を含むことを特徴とする付記６に記載の増幅率設定方法。
【００９７】
（付記８）前記第１の工程による前記増幅部の増幅率の設定完了を前記送信装置にＯＳＣで通知した後、
前記送信装置から前記光信号の受信に基づき、前記第２の工程を実行すること、
を特徴とする付記７に記載の増幅率設定方法。
【００９８】
（付記９）前記自然放出光のパワーを補正値に変換し、当該補正値に基づき前記増幅部の増幅率を再設定することを特徴とする付記７または８に記載の増幅率設定方法。
【００９９】
（付記１０）前記伝送路に、自然放出光のパワーが不明なアンプが設けられた場合においても、前記制御部は、前記アンプの自然放出光の成分を含めて前記増幅部の増幅率を設定することを特徴とする付記６〜９のいずれか一つに記載の増幅率設定方法。
【符号の説明】
【０１００】
１００  ＷＤＭシステム
１１０  送信装置
１１１  送信トランスポンダ
１１２  波長多重部
１１３  送信波長選択部
１１３ａ  波長選択モジュール部
１１３ｂ，１３２ｂ  波長選択モジュール監視制御部
１１４  送信部
１１４ａ  光スイッチ
１１４ｂ  送信アンプモジュール部
１１４ｃ  アンプモジュール監視制御部
１１４ｄ  送信ＯＳＣ
１１４ｅ，１３１ａ  光カプラ
１１５，１３５  装置監視制御部
１３０  受信装置
１３１  受信部
１３１ｂ  受信ＯＳＣ
１３１ｃ  受信アンプモジュール部
１３１ｄ  アンプモジュール監視制御部
１３２  受信波長選択部
１３２ａ  波長選択モジュール部
１３３  波長多重部
１３４  受信トランスポンダ
１４０  伝送路
１４１  送信ブースター
１４２  海底伝送路
１４２ａ  ＲＯＰＡ
１４３  ＲＯＰＡポンプ
【図１】
2018014631.tif 000003
【図２】
2018014631.tif 000004
【図３】
2018014631.tif 000005
【図４】
2018014631.tif 000006